(57)【要約】【課題】省スペース化した装置構成を有する画像読取装置を提供すると共に、障害耐性を向上させた画像読取装置、光源装置、当該画像読取装置が実行する方法、プログラムおよび記録媒体を提供すること。【解決手段】本発明の画像読取装置は、原稿に照射する光ビームを放射する光源装置と、原稿に照射した光ビームを検出して原稿の画像データを生成する手段とを備えており、光源装置は、薄型のＬＥＤ光源および有機ＥＬ光源を含んで構成される。また、本発明の画像読取装置は、ＬＥＤ光源および有機ＥＬ光源の状態を検出し、原稿の走査に使用する光源を選択して原稿の読み取りを制御する。【選択図】  図２
2012129919.tif 000002
【特許請求の範囲】
【請求項１】
原稿を走査して読み取る画像読取装置であって、前記画像読取装置は、
前記原稿に照射する光ビームを放射する光源装置と、
前記原稿に照射した光ビームを検出して原稿の画像データを生成する手段とを備えており、
前記光源装置は、前記光ビームを放射する薄型のＬＥＤ光源および有機ＥＬ光源を含んで構成される、画像読取装置。
【請求項２】
前記画像読取装置は、
前記ＬＥＤ光源および前記有機ＥＬ光源を選択的に使用して前記原稿の読み取りを制御する読取制御手段をさらに備え、
前記読取制御手段は、
前記原稿の読み取り種別を判断し、
前記読み取り種別がカラースキャンまたはＡＤＦスキャンである場合に、前記ＬＥＤ光源および前記有機ＥＬ光源を使用して前記原稿の画像データを生成させ、
前記読み取り種別がモノクロスキャンである場合に、前記ＬＥＤ光源を使用して前記原稿の画像データを生成させる、請求項１に記載の画像読取装置。
【請求項３】
前記画像読取装置は、
前記ＬＥＤ光源および前記有機ＥＬ光源の状態を検出する状態検出手段をさらに備え、
前記読取制御手段は、
前記読み取り種別がカラースキャンまたはＡＤＦスキャンである場合に、前記状態検出手段が、前記ＬＥＤ光源が異常かつ前記有機ＥＬ光源が正常であると判断したとき、前記有機ＥＬ光源を使用して前記原稿の画像データを生成させる、請求項２に記載の画像読取装置。
【請求項４】
前記読取制御手段は、
前記読み取り種別がモノクロスキャンである場合に、前記状態検出手段が、前記ＬＥＤ光源が異常かつ前記有機ＥＬ光源が正常であると判断したとき、前記有機ＥＬ光源を使用して前記原稿の画像データを生成させる、請求項３に記載の画像読取装置。
【請求項５】
前記読取制御手段は、
前記読み取り種別がカラースキャンまたはＡＤＦスキャンである場合に、前記状態検出手段が、前記ＬＥＤ光源が異常かつ前記有機ＥＬ光源が正常であると判断したとき、前記原稿に照射する前記有機ＥＬ光源の光ビームの照射時間を増大させる、請求項３に記載の画像読取装置。
【請求項６】
原稿を走査して読み取る画像読取装置に含まれる光源装置であって、前記光源装置は、
前記原稿に照射する光ビームを放射する薄型のＬＥＤ光源および有機ＥＬ光源と、
前記ＬＥＤ光源および前記有機ＥＬ光源が放射する光ビームを導光する導光体とを備えており、
前記導光体は、前記光ビームを偏向して前記原稿に照射する、光源装置。
【請求項７】
原稿を走査して読み取る画像読取装置が実行する方法であって、前記方法は、前記画像読取装置が、
前記原稿の読み取り種別を判断するステップと、
前記読み取り種別がカラースキャンまたはＡＤＦスキャンである場合に、前記画像読取装置の光源であるＬＥＤ光源および有機ＥＬ光源を使用して、前記原稿の画像データを生成するステップと、
前記読み取り種別がモノクロスキャンである場合に、前記ＬＥＤ光源を使用して前記原稿の画像データを生成するステップと
を含む、方法。
【請求項８】
前記方法は、前記画像読取装置が、
前記ＬＥＤ光源および前記有機ＥＬ光源の状態を検出するステップをさらに含み、
前記読み取り種別がカラースキャンまたはＡＤＦスキャンである場合に、前記ＬＥＤ光源が異常かつ前記有機ＥＬ光源が正常であるとき、前記有機ＥＬ光源を使用して前記原稿の画像データを生成するステップを含む、請求項７に記載の方法。
【請求項９】
前記方法は、前記画像読取装置が、
前記読み取り種別がモノクロスキャンである場合に、前記ＬＥＤ光源が異常かつ前記有機ＥＬ光源が正常であるとき、前記有機ＥＬ光源を使用して前記原稿の画像データを生成するステップを含む、請求項８に記載の方法。
【請求項１０】
前記方法は、前記画像読取装置が、
前記読み取り種別がカラースキャンまたはＡＤＦスキャンである場合に、前記ＬＥＤ光源が異常かつ前記有機ＥＬ光源が正常であるとき、前記原稿に照射する前記有機ＥＬ光源の光ビームの照射時間を増大させるステップを含む、請求項８に記載の方法。
【請求項１１】
請求項７〜１０のいずれか１項に記載の各ステップを画像読取装置が実行するためのコンピュータ実行可能なプログラム。
【請求項１２】
請求項１１に記載されたプログラムを記録したコンピュータ可読な記録媒体。
【発明の詳細な説明】
【技術分野】
【０００１】
本発明は、画像読取装置に関し、より詳細には、省スペース化された装置構成を有し、障害耐性を向上させた画像読取装置、光源装置、当該画像読取装置が実行する方法、プログラムおよび記録媒体に関する。
【背景技術】
【０００２】
従来、レーザプリンタやデジタル複写機等の画像読取装置では、画像データの読み取りを光ビームの走査によって行っている。具体的には、画像読取装置に組み込まれた光源装置が発光する光ビームを原稿に照射し、その反射光をＣＣＤ（Charge Coupled Device）センサが検知する。そして、受光した光の強度に応じた電圧値を有するアナログ信号が生成され、所定の振幅にゲイン調整された後にデジタル信号に変換される。デジタル信号に対して、シェーディング補正やガンマ補正、ＭＴＦ（Modulation Transfer Function）補正等の各種補正が施されて原稿画像が生成される。
【０００３】
現在では、上述のような光ビームを放射する光源装置の光源として、ＬＥＤ（Light Emitting Diode）やキセノン管、冷陰極管等が利用されている。例えば、特許文献１は、ＬＥＤアレイおよび冷陰極管を光源とする光源装置を備えた画像読取装置を開示する。この画像読取装置は、ＬＥＤおよび冷陰極管から放射される光を原稿に照射し、その反射光をＣＣＤで受光して原稿画像を生成する。
【発明の概要】
【発明が解決しようとする課題】
【０００４】
しかしながら、特許文献１が開示する画像読取装置は、円筒形の冷陰極管を光源として採用するため、当該冷陰極管を収容可能なサイズ、すなわち、その外形寸法よりも大きなサイズのキャリアを光源装置として設ける必要がある。このため、当該画像読取装置の光源装置部分の省スペース化を図ろうとしても、冷陰極管のサイズを限度とした大きさまでしか小型化することができず、画像読取装置の省スペース化が充分に成されないという問題があった。
【０００５】
また、特許文献１が開示する画像読取装置は、２つの光源を備えているが、一方の光源に障害が発生した場合、原稿画像の読み取り処理を全く実行することができないという問題もあった。
【０００６】
本発明は、上記従来技術の問題に鑑みてなされたものであり、省スペース化した装置構成を有する画像読取装置を提供すると共に、障害耐性を向上させた画像読取装置、光源装置、当該画像読取装置が実行する方法、プログラムおよび記録媒体を提供することを目的とするものである。
【課題を解決するための手段】
【０００７】
上記課題を解決するために、本発明の画像読取装置は、原稿に照射する光ビームを放射する光源装置と、原稿に照射した光ビームを検出して原稿の画像データを生成する手段とを備えており、光源装置は、薄型のＬＥＤ光源および有機ＥＬ光源を含んで構成される。これにより、光源装置を薄型化することができ、画像読取装置の省スペース化を実現することができる。
【０００８】
また、本発明の画像読取装置は、ＬＥＤ光源および有機ＥＬ光源の状態を検出し、原稿の走査に使用する光源を選択して原稿の読み取りを制御する。これにより、画像読取装置の障害耐性を向上させることができる。
【０００９】
さらに、本発明は、省スペース化した装置構成を有する光源装置、当該光源装置を有する画像読取装置が実行する方法、プログラムおよび記録媒体を提供する。
【図面の簡単な説明】
【００１０】
【図１】本実施形態の画像読取装置を示す図。
【図２】本実施形態の画像読取装置に組み込まれる光源装置の構成を示す図。
【図３】本実施形態の光源装置に組み込まれる有機ＥＬ光源の構成を示す図。
【図４】本実施形態の画像読取装置の機能構成を示す図。
【図５】本実施形態の画像読取装置が実行する原稿の画像読取処理を示すフローチャート。
【図６】本実施形態の画像読取装置が実行する原稿の画像読取処理を示すフローチャート。
【図７】本実施形態の光源装置に含まれる光源の放射光の特性と、ＣＣＤが受光する光の感度特性を示す図。
【発明を実施するための形態】
【００１１】
以下、本発明について実施形態をもって説明するが、本発明は、後述する実施形態に限定されるものではない。図１は、本実施形態の画像読取装置を示す図である。図１に示す画像読取装置１００は光ビームを放射する光源装置１１０を備えており、原稿台１１２に置かれた原稿または自動原稿搬送装置１１４（ＡＤＦ：Auto Document Feeder）によって搬送される原稿に光ビームを照射し、その反射光を光源装置１１０やミラーユニット１１６に含まれるミラーに照射して偏向させ、集束レンズ１１８を介して光検出手段であるＣＣＤ１２０に入射させる。
【００１２】
ＣＣＤ１２０が受光した光は、その強度に応じた電圧値を有するアナログ信号に変換される。そして、アナログ信号から暗電位部分が除去され、所定の振幅にゲイン調整され、Ａ／Ｄコンバータ（図示せず）によってデジタル信号に変換される。次いで、このデジタル信号は、シェーディング補正やガンマ補正、ＭＴＦ補正等の各種補正が施され、原稿の画像データが生成される。
【００１３】
走査すべき原稿を原稿台１１２にセットしてスキャンする場合、画像読取装置１００は、光源装置１１０を原稿台１１２に沿って副走査方向に移動させ、固定された原稿に光源装置１１０の光ビームを照射して画像データを生成する。一方、ＡＤＦ１１４を利用して原稿をスキャンする場合、画像読取装置１００は、光源装置１１０を所定位置に固定した状態でＡＤＦ１１４に原稿を搬送させ、移動する原稿に光源装置１１０光ビームを照射して画像データを生成する。
【００１４】
図２は、本実施形態の画像読取装置に組み込まれる光源装置の構成を示す図である。光源装置１１０は、導光体２００と、導光体２００に設けられた光源であるＬＥＤ光源２０４および有機エレクトロルミネッセンス（以下、単に「有機ＥＬ」とする。）光源２０６と、反射ミラー２０８と、これらを収容するキャリッジ２１０とを含んで構成される。
【００１５】
導光体２００は、ＬＥＤ光源２０４および有機ＥＬ光源２０６が放射する光ビームをそれぞれ偏向して原稿２１２に照射する。導光体２００は、ＬＥＤ光源２０４および有機ＥＬ光源２０６が放射する２種類の光ビームを内部で反射させ、放射部２０２で光を偏向して原稿２１２に照射する。図２に示す実施形態では、導光体２００は、ＬＥＤ光源２０４および有機ＥＬ光源２０６の放射する光ビームを２回反射し、放射部２０２で偏向して原稿に照射しているが、光ビームを効果的に原稿に照射し得る限り、如何なる導光方式を採用することができる。
【００１６】
ＬＥＤ光源２０４は、原稿を走査する光ビームを放射する光源であり、薄型のＬＥＤを含んで構成される。ＬＥＤ光源２０４は導光体２００の１の面に設けられており、例えば、４８０ｎｍ付近の波長をピークとする光ビームを照射する。
【００１７】
有機ＥＬ光源２０６は、原稿を走査する光ビームを放射する光源であり、薄型の発光素子である有機ＥＬを含んで構成される。有機ＥＬ光源２０６は、ＬＥＤ光源２０４が設けられた導光体２００の１の面に隣接する面に設けられており、例えば、４５０ｎｍ〜６５０ｎｍの波長の連続的な光ビームを照射する。
【００１８】
反射ミラー２０８は、原稿台１１２に対向する導光体２００上部に載置されており、原稿２１２によって反射したＬＥＤ光源２０４および有機ＥＬ光源２０６の光ビームを、ミラーユニット１１６内の反射ミラーへ反射させてＣＣＤ１２０に入射させる。図２に示す実施形態では、反射ミラー２０８は導光体２００の放射部２０２に隣設されているが、他の実施形態では、原稿の反射光をＣＣＤに効果的に反射し得る限り、任意の形態および大きさのミラーを導光体に設置することができる。
【００１９】
キャリッジ２１０は、導光体２００およびこれに設置されたＬＥＤ光源２０４、有機ＥＬ光源２０６および反射ミラーを収容する筐体である。キャリッジ２１０は、原稿台１１２に沿って副走査方向に移動可能であり、原稿台にセットされた原稿をスキャンする場合、光源装置１１０を移動させて原稿を走査する。
【００２０】
本実施形態では、有機ＥＬ光源２０６が反射ミラー２０８に対向して設置されているが、他の実施形態では、ＬＥＤ光源２０４を反射ミラー２０８に対向して設置し、反射ミラー２０８が設置された面と隣接する面に有機ＥＬ光源２０６を設置してもよい。
【００２１】
図３は、本実施形態の光源装置に組み込まれる有機ＥＬ光源の構成を示す図である。有機ＥＬ光源２０６は、基板３０２と、発光部３０４と、電極３０６，電極３０８と、封止膜３１０とを含んで構成される。
【００２２】
基板３０２は、透過率の極めて高い素材で構成される基板である。基板３０２には、有機ＥＬ光源２０６の他の構成要素が載置される。基板３０２は、有機ＥＬ光源２０６が発光する光を透過して導光体２００に入射する。本実施形態では、有機ＥＬ光源の基板として、ガラス製の基板やプラスチック樹脂製の基板を採用することができる。
【００２３】
発光部３０４は、有機化合物から成る発光素子で構成された薄膜の発光層である。発光部３０４は、電極３０６および電極３０８によって印加されると、有機化合物中に注入された電子および正孔の再結合によって生じたエキシトンによって発光する。本実施形態では、電極３０６は透明電極で構成されており、発光部３０４が発光した光は、電極３０６および基板３０２を介して外部に放射される。
【００２４】
封止膜３１０は、有機ＥＬ光源２０６の構成要素を基板３０２に封止する膜である。図３に示す実施形態では、封止膜３１０を利用して、発光部３０４および電極３０６，３０８を積層状態で基板３０２に封止されている。
【００２５】
本実施形態では、発光部３０４が基板方向に発光する光を、透明な電極３０６を介して外部に放射するが、他の実施形態では、電極３０８に透明電極を採用すると共に、電極３０８および封止膜３１０の間に反射層を設けて、基板の逆方向に放射する光を反射させて基板方向に放射するように構成してもよい。
【００２６】
本実施形態の画像読取装置は、上述したように薄型の有機ＥＬ光源およびＬＥＤ光源を光源として採用するため、光源装置を薄型化することができ、画像読取装置の省スペース化を実現することができる。
【００２７】
図４は、本実施形態の画像読取装置の機能構成を示す図である。画像読取装置１００は、プロセッサ、ＲＡＭ（Random Access Memory）、ハーディスク装置などを含んで実装されており、ＵＮＩＸ（登録商標）、ＬＩＮＵＸ（登録商標）、Ｗｉｎｄｏｗｓ（登録商標）、Ｔｒｏｎ（登録商標）やＩｔｒｏｎ、μＩｔｒｏｎなどのＯＳの制御下で、アセンブラ、Ｃ、Ｃ＋＋、ＪＡＶＡ（登録商標）、Ｊａｖａ（登録商標）Ｓｃｒｉｐｔなどのプログラミング言語で記述された本実施形態のプログラムをＲＡＭに展開して実行し、後述する機能手段を当該画像処理装置上で実現する。以下、図４を参照して、画像読取装置１００の機能構成４００について説明する。
【００２８】
画像読取装置１００は、読取制御部４０２と、状態検出部４０４と、有機ＥＬ制御部４０６と、ＬＥＤ制御部４０８と、ＣＣＤ制御部４１０とを含んで構成される。
【００２９】
読取制御部４０２は、画像読取装置１００が実行する原稿の読み取り処理を制御する機能手段である。読取制御部４０２は、画像読取装置１００の操作パネル等を押下することによって発行される読取実行命令を受信すると、状態検出部４０４、有機ＥＬ制御部４０６、ＬＥＤ制御部４０８およびＣＣＤ制御部４１０を呼び出して、原稿の読み取り処理を実行する。
【００３０】
状態検出部４０４は、ＬＥＤ光源２０４および有機ＥＬ光源２０６の状態を検出する手段である。状態検出部４０４は、原稿を走査する前に、ＬＥＤ光源２０４および有機ＥＬ光源２０６に正常に動作しているか否か判断し、その結果を読取制御部４０２に通知する。
【００３１】
具体的には、状態検出部４０４は、後述するＣＣＤ制御部４１０にＣＣＤ１２０に入射した光ビームの光量を検出させ、その光量が原稿の走査を行うのに充分な光量以上であるか否か判断することにより、ＬＥＤ光源２０４および有機ＥＬ光源２０６に正常に動作しているか否か判断することができる。また、状態検出部４０４は、検出した光量が上記光量未満であっても、光源装置１１０の移動速度またはＡＤＦの搬出速度を低下させて、原稿に対する光ビームの照射時間を長くすることにより、原稿の読み取りが可能な光量を有する場合には、その旨を読取制御部４０２に通知する。
【００３２】
有機ＥＬ制御部４０６は、有機ＥＬ光源２０６を制御する機能手段である。有機ＥＬ制御部４０６は、読取制御部４０２の指示により、有機ＥＬ光源２０６の電極に電流を流して発光させ、または電流を遮断して発光を停止させることができる。
【００３３】
ＬＥＤ制御部４０８は、ＬＥＤ光源２０４を制御する機能手段である。ＬＥＤ制御部４０８は、読取制御部４０２の指示により、ＬＥＤ光源２０４の電極に電流を流して発光させ、または電流を遮断して発光を停止させることができる。
【００３４】
ＣＣＤ制御部４１０は、ＣＣＤ１２０を制御する機能手段である。ＣＣＤ制御部４１０は、状態検出部４０４の指示により、ＣＣＤ１２０を駆動し、ＣＣＤ１２０に入射する光ビームの強度を利用して、その光量を検出することができる。ＣＣＤ制御部４１０は、検出した光量を返却値として状態検出部４０４に提供する。
【００３５】
図５および図６は、本実施形態の画像読取装置が実行する原稿の画像読取処理を示すフローチャートである。以下、図５および図６を参照して、原稿の画像読取処理について説明する。
【００３６】
図５の処理は、画像読取装置１００が原稿の読取命令を受信することによりステップＳ５００から開始する。ステップＳ５０１では、読取制御部４０２が、原稿の読み取り種別を判断する。
【００３７】
本実施形態では、原稿をカラーで読み取るカラースキャン、モノクロで読み取るモノクロスキャン、およびＡＤＦを使用して原稿を高速で読み取るＡＤＦスキャンを読み取り種別として採用する。カラースキャンおよびモノクロスキャンについては、ユーザが画像読取装置１００の操作パネル等を使用して設定可能であり、その設定情報原稿の読取命令と共に読取制御部４０２に提供することができる。ＡＤＦスキャンについては、ＡＤＦに原稿がセットされているか検出するセンサをＡＤＦ１１４に設置して検出結果を読取制御部４０２に通知することができる。
【００３８】
ステップＳ５０１の判定で読み取り種別がカラースキャンまたはＡＤＦスキャンであると判断した場合には、処理をステップＳ５０２に分岐させる。本実施形態では、ＡＤＦスキャンの場合には、ユーザが設定したカラースキャンおよびモノクロスキャンのいずれかを指定したかに関わらず、ステップＳ５０２以降の処理が実行される。
【００３９】
ステップＳ５０２では、読取制御部４０２は、有機ＥＬ制御部４０６に有機ＥＬ光源２０６である有機ＥＬ光源２０６をＯＮにさせる。ステップＳ５０３では、読取制御部４０２は、状態検出部４０４を呼び出し、有機ＥＬ光源２０６が正常であるか否か判断させる。有機ＥＬ光源２０６が正常でないと判断した場合には（ｎｏ）、処理をステップＳ５０４に分岐させ、ステップＳ５０４で読取制御部４０２は、有機ＥＬ光源２０６がエラーである旨の通知を画像読取装置１００の操作パネルに表示し、ステップＳ５１２で処理が終了する。一方、有機ＥＬ光源２０６が正常であると判断した場合には（ｙｅｓ）、処理をステップＳ５０５に分岐させる。
【００４０】
ステップＳ５０５では、読取制御部４０２は、ＬＥＤ制御部４０８にＬＥＤ光源２０４であるＬＥＤ光源２０４をＯＮにさせる。ステップＳ５０６では、読取制御部４０２は状態検出部４０４を呼び出し、ＣＣＤ１２０を利用してＬＥＤ光源２０４が正常であるか否か判断させる。ＬＥＤ光源２０４が正常であると判断した場合（ｙｅｓ）、処理をステップＳ５０７に分岐させる。ステップＳ５０７では、読取制御部４０２は、ＬＥＤ光源２０４および有機ＥＬ光源２０６を使用して、指定されたスキャンモード、すなわちカラースキャンまたはモノクロスキャンで原稿をスキャンする。ステップＳ５０８では、読取制御部４０２は、ＬＥＤ光源２０４および有機ＥＬ光源２０６をＯＦＦにし、ステップＳ５１２で処理が終了する。
【００４１】
一方、ステップＳ５０６の判定でＬＥＤ光源２０４が正常でないと判断した場合には（ｎｏ）、処理をステップＳ５０９に分岐させる。ステップＳ５０９では、読取制御部４０２は、有機ＥＬ光源２０６を使用した原稿の読み取りが可能か否か判断する。原稿の読み取りが可能であると判断した場合には（ｙｅｓ）、処理をステップＳ５１０に分岐させる。ステップＳ５１０では、読取制御部４０２は、ＬＥＤ光源２０４の光量が無くても原稿を走査可能な速度でＡＤＦ１１４または光源装置１１０を動作させ、有機ＥＬ光源２０６の光ビームを使用して原稿を読み取る。ステップＳ５１１では、読取制御部４０２は、有機ＥＬ制御部４０６に有機ＥＬ光源２０６をＯＦＦにさせ、ステップＳ５１２で処理が終了する。
【００４２】
一方、ステップＳ５０９の判定で有機ＥＬ光源２０６を使用した原稿の読み取りが不可能であると判断した場合には（ｎｏ）、処理をステップＳ５０４に分岐させ、ステップＳ５０４でＬＥＤ光源２０４がエラーである旨の通知を画像読取装置１００の操作パネルに表示し、ステップＳ５１２で処理が終了する。
【００４３】
一方、ステップＳ５０１の判定で読み取り種別がモノクロスキャンであると判断した場合には、処理を図６に示すステップＳ６００に分岐させる。本実施形態では、ＡＤＦスキャンの場合には、ユーザが設定したモノクロスキャンを指定し、かつ、ＡＤＦではなく原稿を原稿台にセットしてスキャンする場合に、図６に示す処理が実行される。
【００４４】
ステップＳ６００では、ＬＥＤ制御部４０８にＬＥＤ光源２０４であるＬＥＤ光源２０４をＯＮにさせる。ステップＳ６０１では、読取制御部４０２は状態検出部４０４を呼び出し、ＬＥＤ光源２０４が正常であるか否か判断させる。ＬＥＤ光源２０４が正常であると判断した場合には（ｙｅｓ）、処理をステップＳ６０２に分岐させる。ステップＳ６０２では、読取制御部４０２は、ＬＥＤ光源２０４を使用して原稿をモノクロスキャンする。ステップＳ６０３では、読取制御部４０２は、ＬＥＤ光源２０４をＯＦＦにし、ステップＳ５１２で処理が終了する。
【００４５】
一方、ステップＳ６０１の判定でＬＥＤ光源２０４が正常でないと判断した場合には（ｎｏ）、処理をステップＳ６０４に分岐させる。ステップＳ６０４では、読取制御部４０２は、有機ＥＬ制御部４０６に有機ＥＬ光源２０６をＯＮにさせる。ステップＳ６０５では、読取制御部４０２は状態検出部４０４を呼び出し、有機ＥＬ光源２０６が正常であるか否か判断させる。有機ＥＬ光源２０６が正常であると判断した場合には（ｙｅｓ）、処理をステップＳ６０６に分岐させる。ステップＳ６０６では、読取制御部４０２は、有機ＥＬ光源２０６を使用して原稿をモノクロスキャンする。ステップＳ６０７では、読取制御部４０２は、有機ＥＬ光源２０６をＯＦＦにし、ステップＳ５１２で処理が終了する。
【００４６】
一方、ステップＳ６０５の判定で有機ＥＬ光源２０６が正常でないと判断した場合には（ｎｏ）、処理をステップＳ６０８に分岐させる。ステップＳ６０８では、ＬＥＤ光源２０４および有機ＥＬ光源２０６がエラーである旨の通知を画像読取装置１００の操作パネルに表示し、ステップＳ５１２で処理が終了する。
【００４７】
本実施形態の画像読取装置は、ＬＥＤ光源が動作しない場合やその光量が不測している場合に、連続した波長の光ビームを放射する有機ＥＬ光源に光源を切り替えて原稿を走査するため、画像読取装置の障害耐性を向上させることができる。
【００４８】
図７は、本実施形態の光源装置に含まれる光源の放射光の特性と、ＣＣＤが受光する光の感度特性を示す図である。以下、図７を参照して、光源装置１１０に含まれるＬＥＤ光源２０４および有機ＥＬ光源２０６が放射する光の波長対光強度およびＣＣＤ１２０の分光感度について説明する。
【００４９】
特性図７１０は、ＬＥＤ光源２０４が放射する光強度特性を示す。特性図７１２は、有機ＥＬ光源２０６が放射する光強度特性を示す。図７に示すように、ＬＥＤ光源２０４の放射光は、４８０ｎｍ付近の波長をピークとする光ビームを照射する。一方、有機ＥＬ光源２０６の放射光は、４５０ｎｍ〜６５０ｎｍの波長の連続的な光ビームを照射する。
【００５０】
特性図７１４は、ＣＣＤ１２０の分光感度特性を示す。図７に示すように、ＣＣＤ１２０は、４５０ｎｍ付近、５５０ｎｍ付近および６５０ｎｍ付近において感度がピークとなっている。本実施形態の画像読取装置は、特性図７１０，７１２に示す特性を有する２種類の光を使用して原稿の走査を行うため、有機ＥＬ光源が発光する波長の連続した光ビームによってＬＥＤ光源の光ビームを補完することができ、ＣＣＤ１２０の分光感度領域に対して効果的および効率的に光を照射することができる。
【００５１】
これまで本実施形態につき説明してきたが、本発明は、上述した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００５２】
１００…画像読取装置、１１０…光源装置、１１２…原稿台、１１４…ＡＤＦ、１１６…ミラーユニット、１１８…集束レンズ、１２０…ＣＣＤ、２００…導光体、２０２…放射部、２０４…ＬＥＤ光源、２０６…有機ＥＬ光源、２０８…反射ミラー、２１０…キャリッジ、２１２…原稿
【先行技術文献】
【特許文献】
【００５３】
【特許文献１】特開２００６−６０４０７号公報
【図１】
2012129919.tif 000003
【図２】
2012129919.tif 000004
【図３】
2012129919.tif 000005
【図４】
2012129919.tif 000006
【図５】
2012129919.tif 000007
【図６】
2012129919.tif 000008
【図７】
2012129919.tif 000009